(57)【要約】【課題】サイズの調節作業が不要なフリーサイズ帽子であって、頭部を充分に保護可能であると共に、頭部が締め付けられる違和感がなく、長時間の使用によっても頭痛が生じない帽子を提供すること、又、ソフトなフィット感を得られ、その上頭部でずれることがない帽子を提供すること、更には汗を充分に吸収することが可能な帽子を提供すること【解決手段】クラウンの内側下端部の前額部にスベリを設け、クラウンの後頭部又は／及び側頭部の下端部に切欠部を設け、該切欠部に切欠部と同一形状である伸縮性部材を連接した帽子。【選択図】  図１
2006070409.tif 000002
【特許請求の範囲】
【請求項１】
伸縮性部材をクラウンの下端に連接したことを特徴とする帽子。
【請求項２】
伸縮性部材をクラウンの後頭部又は／及び側頭部の下端に連接したことを特徴とする請求項１に記載の帽子。
【請求項３】
クラウンの後頭部又は／及び側頭部の下端部に切欠部を設け、該切欠部に伸縮性部材を連接したことを特徴とする請求項２に記載の帽子。
【請求項４】
伸縮性部材は切欠部と同一形状であることを特徴とする請求項３記載の帽子。
【請求項５】
切欠部の縦幅を非同一幅とすることを特徴とする請求項３又は４に記載の帽子。
【請求項６】
切欠部は少なくとも両端部の上辺を傾斜状に形成したことを特徴とする請求項５に記載の帽子。
【請求項７】
クラウンの内側下端部の前額部にスベリを設けたことを特徴とする請求項１から６のうちいずれか1項に記載の帽子。
【請求項８】
伸縮性部材は編地であることを特徴とする請求項１から７のうちいずれか1項に記載の帽子。
【請求項９】
帽子はクラウンの前額部に鍔を連接したキャップ状の帽子であることを特徴とする請求項１から８のうちいずれか1項に記載の帽子。
【発明の詳細な説明】
【技術分野】
【０００１】
本発明は帽子に関し、詳しくは、サイズの調節作業をすることなく頭にフィットするフリーサイズ帽子に関する。
【背景技術】
【０００２】
従来からフリーサイズの帽子として、クラウンの後部に半円形状の切欠部を設け、該切欠部にバックルや面テープを有する無伸縮性のベルトを渡し、該ベルトを調節することで、帽子のサイズを調節する構成としたものがある。しかし、このような帽子は、サイズ調節のためにベルトの調整の作業が必要であり、煩雑であり、更にバックルや面テープがごつごつして違和感があると共に、転んだり、ぶつかった際に頭部に打撃を与えることになり、頭部の保護に関しては負の側面があった。
【０００３】
そこで、フリーサイズ帽子としてクラウンの後部に半円形状の切欠部を設け、該切欠部にゴムを渡した帽子、又、スベリを伸縮性を有する生地で構成した帽子（例えば、特許文献１参照。）、或いはクラウンの開口周縁の内面に伸縮性ビン皮を設けたもの（例えば、特許文献２参照。）が提案されている。
【０００４】
しかし、これら従来の帽子では頭部が締め付けられる違和感があり、長時間の着用により頭痛が生じやすく、又、頭部全体に帽子がフィットしないために帽子がずれ易いという欠点があった。更に、従来の何れのフリーサイズ帽子も汗を充分に吸収しないという欠点があった。
【０００５】
【特許文献１】特開２００３−１２９３２２
【特許文献２】特開２００４−１２４２８５
【発明の開示】
【発明が解決しようとする課題】
【０００６】
そこで、サイズの調節作業が不要なフリーサイズ帽子であって、頭部を充分に保護可能であると共に、頭部が締め付けられる違和感がなく、長時間の使用によっても頭痛が生じない帽子を提供すること、又、ソフトなフィット感を得られ、その上頭部でずれることがない帽子を提供すること、更には汗を充分に吸収することが可能な帽子を提供することを課題とする。
【課題を解決するための手段】
【０００７】
上記課題を解決するための本願発明の帽子は、伸縮性部材をクラウンの下端に連接したことを特徴とする帽子である。
【０００８】
又、伸縮性部材をクラウンの後頭部又は／及び側頭部の下端に連接したことを特徴とする帽子である。
【０００９】
更に、上記帽子において、クラウンの後頭部又は／及び側頭部の下端部に切欠部を設け、該切欠部に伸縮性部材を連接したことを特徴とする帽子である。
【００１０】
更に、上記帽子において、伸縮性部材は切欠部と同一形状であることを特徴とする帽子である。
【００１１】
更に、上記帽子において、切欠部の縦幅を非同一幅とすることを特徴とする帽子である。
【００１２】
更に、上記帽子において、切欠部は少なくとも両端部の上辺を傾斜状に形成したことを特徴とする帽子である。
【００１３】
更に、上記帽子において、クラウンの内側下端部の前額部にスベリを設けたことを特徴とする帽子である。
【００１４】
更に、上記帽子において、伸縮性部材は編地であることを特徴とする帽子である。
【００１５】
更に、上記帽子において、帽子はクラウンの前額部に鍔を連接したキャップ状の帽子である。
【発明の効果】
【００１６】
以上のような本願発明によれば、サイズの調節作業が不要なフリーサイズ帽子において、頭部を充分に保護可能であると共に、頭部が締め付けられる違和感がなく、長時間の使用による頭痛の発生を防止可能となった。又、ソフトなフィット感を得られ、その上かぶり易いと共に頭部でずれることがなくなった。更には汗を充分に吸収することが可能となった。
【発明を実施するための最良の形態】
【００１７】
以下本発明を図に従って詳細に説明する。帽子１はクラウン２、クラウン２の後頭部又は／及び側頭部の下端に連接された伸縮性部材３、クラウン２の内側下端部の前額部に設けられたスベリ４及びクラウン２の外側下端部の前額部に連接された鍔５を備えて構成されている。
【００１８】
クラウン２は略三角形の布や合成樹脂等で構成されるレンゲ２１〜２６を縫い合わせて略半球状に形成されている。レンゲ２１〜２６は無伸縮性の素材で構成され、クラウン２自体は伸縮性を有していない。尚、図示する実施の形態では、クラウン２の後頭部はレンゲ２４，２５と、側頭部はレンゲ２３，２６と、クラウン２の前額部はレンゲ２１，２２と夫々略対応している。
【００１９】
伸縮性部材３は少なくともクラウン２の周方向への伸縮性を有するものであれば特に限定されず、勿論クラウン２の深さ方向に伸縮性を有するものでもよく、綿、絹、毛、合成繊維等を用いたリブ編みやトリコット編み等の編地、具体的にはフライスやスムース等、ゴム糸を織り込んだ織物、ゴムひもを布で被覆したもの、合成樹脂製のシート等を用いることが可能である。特に編地は柔らかなフィット感を得ることができると共に、吸水性に優れ汗をよく吸収するので好ましい。伸縮性部材３の横幅（クラウン２の周方向の長さ）は特に限定されないが、クラウン２の周囲の約１／６乃至４／６程度とすることができる。又、伸縮性部材３の形状も特に限定されず、長方形の帯状、上辺が直線で下辺が円弧状の形状等適宜の形状とすることが可能である。伸縮性部材３の横幅をクラウン２の周囲の４／６程度とする場合には、伸縮性部材３はクラウン２の後頭部及び側頭部の下端、即ち略レンゲ２３〜２６の下端に縫い付けて連接して設ければよく、伸縮性部材３の横幅をクラウン２の周囲の２／６程度とする場合には、伸縮性部材３はクラウン２の後頭部の下端、即ち略レンゲ２４，２５の下端に縫い付けて連接して設ければよい。
【００２０】
クラウン２の後頭部又は／及び側頭部の下端部には切欠部２７を設け、該切欠部２７に該切欠部２７と同一形状の伸縮性部材３を縫い付けて連接することが望ましい。尚、切欠部とは切欠いていないクラウンから切り欠かれて除かれた部分を意味し、通常クラウンの下端縁は同一平面状に位置するので、切欠部の下端はクラウンの下端と同一平面状に位置している。このような形態とすることで、伸縮性部材３の下端は切欠部２７を設けていないクラウン２の下端と同一面上に位置し、伸縮性部材３を連接することによる帽子の深さが深くなってしまうことがなく、帽子の深さが変化せずに着用感に違和感を与えることがない。尚、このような形態とした場合には、従来例の切欠部にベルトやゴムを渡した帽子と異なり、クラウン２の後頭部には通孔が生じることはない。勿論、切欠部２７に連接する伸縮性部材３は該切欠部２７と同一形状としなくてもよい。
【００２１】
切欠部２７の横幅（クラウン２の周方向の長さ）は特に限定されないが、クラウン２の周囲の約１／６乃至４／６程度とすることができる。切欠部２７の横幅をクラウン２の周囲の４／６程度とする場合には、切欠部２７はクラウン２の後頭部及び側頭部の下端、即ち略レンゲ２３〜２６の下端に設ければよく、切欠部２７の横幅をクラウン２の周囲の２／６程度とする場合には、切欠部２７はクラウン２の後頭部の下端、即ち略レンゲ２４，２５の下端に設ければよい。切欠部２７はクラウン２の後頭部又は／及び側頭部の下端に位置すればよく、通常はその横幅の中心部をレンゲ２４，２５の接辺上即ち帽子１の最後部に位置させるが、例えば切欠部２７の横幅をクラウン２の周囲の約２／６とした場合にその中心部をレンゲ２３，２４の接辺上に位置させる等切欠部２７の中心部を帽子１の最後部からずらしてもよい。
【００２２】
又、切欠部２７の形状も特に限定されず、長方形の帯状、下辺が直線で上辺が円弧状の形状、三角形状、台形状等適宜の形状とすることが可能であるが、何れにしろ切欠部２７は、両端部の上辺を下方へ傾斜させて形成する等切欠部２７の縦幅に変化を持たせ、非同一幅とすることが好ましい。切欠部２７を全横幅に亘って同一縦幅とすると、伸縮性部材３は一定方向にしか伸縮しないが、このように形成することにより、伸縮の方向が拡散して、頭部が一定方向に締め付けられるという違和感を緩和することができ、見た目にもスマートになるからである。尚、この切欠部２７の形状を様々な形状とすることで、帽子に新規な意匠を付与することもできる。
【００２３】
又、クラウン２の後頭部及び／又は側頭部の下端に２箇所以上に切欠部２７を設け、夫々の切欠部２７，２７…に該切欠部２７，２７…と同一形状或いは非同一形状の伸縮性部材３，３…を連接することとしてもよい。
【００２４】
クラウン２の内側下端部の前額部にはスベリ４を縫い付けて設けている。スベリ４はクラウン２の前額部のみに限定されず、切欠部２７の横幅及び位置に応じて、切欠部２７と接するように延設してもよい。スベリ４は伸縮性を有していない。スベリ４は帽子１をかぶるの際にスムーズにかぶるために有用である。図示する実施の形態では、スベリ４の両端部は切欠部２７の両端部に夫々接続し、切欠部２７は長方形の帯状であって両端部の上辺を下方へ傾斜させて形成されているので、スベリ４の両端部の接辺は上方へ傾斜させて形成している。クラウン２の前額部、即ちレンゲ２１，２２の下端部には前方へ突出する鍔５を縫い付けて連接している。
【００２５】
以上の説明では本発明の帽子をキャップ状の帽子として説明したが、本発明の帽子はその形状としてキャップ状の帽子に限定されるものではなく、ハット状の帽子、鍔を有さない各種帽子等でもよいことは勿論である。
【００２６】
又、伸縮性部材３の横幅或いは切欠部２７の横幅はクラウン２の周囲の全周を含む４／６以上として、後頭部及び側頭部のみならず前額部に延設してもよく、鍔を有する帽子の場合には、鍔は伸縮性部材３の下端に連接して構成すればよい。
【図面の簡単な説明】
【００２７】
【図１】本発明一実施例側面図
【図２】本発明一実施例底面図
【図３】本発明一実施例下方からの斜視図
【図４】本発明一実施例上方からの斜視図
【符号の説明】
【００２８】
１          帽子
２          クラウン
２１        レンゲ
２２        レンゲ
２３        レンゲ
２４        レンゲ
２５        レンゲ
２６        レンゲ
２７        切欠部
３          伸縮性部材
４          スベリ
５          鍔
【図１】
2006070409.tif 000003
【図２】
2006070409.tif 000004
【図３】
2006070409.tif 000005
【図４】
2006070409.tif 000006